(57)【要約】【課題】障子を閉めた際に各召合せ框同士の間隔を適正に維持し、シール性能も確保でき、框同士の衝突やシール材の剪断や音鳴りを防止できるガイド部材を提供すること。【解決手段】ガイド部材５０は、召合せ框１６，１７の煙返し３３が嵌合される嵌合溝５３を有する案内部５２を備える。案内部５２は、他方の召合せ框の煙返し３３が当接した際に、その召合せ框を一方の召合せ框に近づく方向に引き寄せる引き寄せ傾斜面５２１と、他方の召合せ框が当接した際に、その召合せ框を一方の召合せ框から離れる方向に引き離す引き離し傾斜面５２２とを備える。ガイド部材５０によって各框１６，１７間の間隔を適正な寸法に設定できる。このため、框同士の衝突や、シール材の剪断や、音鳴りを防止できる。【選択図】図３
2007120009.tif 000002
【特許請求の範囲】
【請求項１】
可動障子の召合せ材と、この可動障子の召合せ材に係合する召合せ材とのいずれか一方の召合せ材に一体に形成された煙返しに取り付けられるガイド部材であって、
前記煙返しが嵌合される嵌合溝を有する案内部を備え、
前記案内部は、前記他方の召合せ材の煙返しが当接した際に、その他方の召合せ材を一方の召合せ材に近づく方向に引き寄せる引き寄せ傾斜面と、前記他方の召合せ材が当接した際に、その他方の召合せ材を一方の召合せ材から離れる方向に引き離す引き離し傾斜面とを備えるガイド部材。
【請求項２】
前記引き寄せ傾斜面は、前記案内部において他方の召合せ材側の先端から煙返し内側に向かって傾斜され、
前記引き離し傾斜面は、前記先端から煙返し外側に向かって傾斜され、
前記案内部の煙返し内側には、前記引き寄せ傾斜面に連続して設けられ、かつ、障子の移動方向に平行な離間防止平行部が設けられ、
前記案内部の煙返し外側には、前記引き離し傾斜面に連続して設けられ、かつ、障子の移動方向に平行な近接防止平行部が設けられている請求項１に記載のガイド部材。
【請求項３】
前記障子の移動方向に対する前記引き寄せ傾斜面の傾斜角度は、前記障子の移動方向に対する前記引き離し傾斜面の傾斜角度よりも大きくされている請求項１または請求項２に記載のガイド部材。
【請求項４】
前記他方の召合せ材は、障子を閉めた際に前記ガイド部材の案内部先端が当接する当接ガイド部を備えている請求項１から３のいずれかに記載のガイド部材。
【請求項５】
前記ガイド部材は、障子を閉めた際に他方の召合せ材の煙返しが当接する受け部を備え、この受け部は緩衝体で構成されている請求項１から４のいずれかに記載のガイド部材。
【請求項６】
窓枠と、この窓枠内に配置された少なくとも２枚の障子とを備えた建具であって、
前記２枚の障子は、互いに係合する召合せ框をそれぞれ備え、
いずれか一方の召合せ框に一体に形成された煙返しには前記請求項１から５のいずれかに記載のガイド部材が取り付けられている建具。
【請求項７】
窓枠と、この窓枠内に配置された障子とを備えた建具であって、
前記障子は召合せ框を備え、
前記窓枠は障子の召合せ框に係合する召合せ枠を備え、
前記召合せ框または召合せ枠の一方に一体に形成された煙返しには前記請求項１から５のいずれかに記載のガイド部材が取り付けられている建具。
【発明の詳細な説明】
【技術分野】
【０００１】
本発明は、引違い窓や片引き窓等の建具（引戸）において召合せ材に取り付けられるガイド部材と、このガイド部材が取り付けられた建具に関する。
【背景技術】
【０００２】
引違い窓や片引き窓等の引戸においては、可動障子を閉めた際に各障子の召合せ框（召合せ材）同士を引き寄せてシール材（ＡＴ材、エアータイト材）を所定の圧力で各框に当接させ、所定のシール性能を確保するための引寄せ部材を設けたものが知られている（例えば、特許文献１参照）。
【０００３】
この引寄せ部材は、外障子および内障子の各召合せ框の一方の框における煙返しの内側に配置され、他方の框の煙返しの端縁を案内して各框同士を互いに近づく方向に引き寄せる傾斜面を備えて構成されている。
【０００４】
【特許文献１】特開平７−２１７３２７号公報
【発明の開示】
【発明が解決しようとする課題】
【０００５】
しかしながら、建物の外壁部分に設けられる引戸や、浴室出入口に設けられる引戸において、障子の内外で温度差があり、障子の框が熱反りすると、各召合せ框同士が近接し過ぎてしまうことがあった。
この場合、一方の框に取り付けられたシール材の側面に他方の框がぶつかり、障子を閉める際にシール材が負荷となって障子が移動しにくくなったり、シール材が剪断されたり、シール材に框が激しくぶつかって音鳴りが発生してしまうおそれがあった。
さらに、各召合せ框同士が近接しすぎていると、各框同士がぶつかってしまうおそれもあった。このような問題は、障子の召合せ框と窓枠の召合せ枠（召合せ材）とが係合する片引戸等においても同様に発生する。
【０００６】
本発明の目的は、障子を閉めた際に各召合せ材同士の間隔を適正に維持し、シール性能も確保でき、召合せ材同士の衝突やシール材の剪断や音鳴りを防止できるガイド部材および建具を提供することにある。
【課題を解決するための手段】
【０００７】
本発明のガイド部材は、可動障子の召合せ材と、この可動障子の召合せ材に係合する召合せ材とのいずれか一方の召合せ材に一体に形成された煙返しに取り付けられるガイド部材であって、前記煙返しが嵌合される嵌合溝を有する案内部を備え、この案内部は、前記他方の召合せ材の煙返しが当接した際に、その他方の召合せ材を一方の召合せ材に近づく方向に引き寄せる引き寄せ傾斜面と、前記他方の召合せ材が当接した際に、その他方の召合せ材を一方の召合せ材から離れる方向に引き離す引き離し傾斜面とを備えることを特徴とする。
【０００８】
ここで、前記可動障子の召合せ材とは、通常、可動障子の召合せ框を意味する。また、可動障子の召合せ材に係合する召合せ材とは、前記可動障子とは別に設けられた障子の召合せ框または枠体の召合せ枠を意味する。なお、可動障子とは別に設けられた前記障子は、可動障子でもよいし、固定障子でもよい。各障子がそれぞれ可動障子であれば、一般的な引違い窓や引違い戸となり、一方の障子が固定障子であれば、片引き戸となる。
【０００９】
このような本発明においては、ガイド部材に引き寄せ傾斜面および引き離し傾斜面が設けられているので、各召合せ材同士がある程度離れて配置されている場合には、一方の召合せ材に取り付けられたガイド部材の引き寄せ傾斜面に、他方の召合せ材の煙返しが当接して各召合せ材同士が所定の間隔になるまで近接させることができる。
一方、各召合せ材同士が近接しすぎている場合には、前記ガイド部材の引き離し傾斜面に、他方の召合せ材が当接して各召合せ材同士を所定の間隔になるまで引き離すことができる。
従って、障子を閉めた際に、各召合せ材同士の間隔を適正な寸法に設定できる。このため、召合せ材同士の衝突や、召合せ材がシール材の基端部などに当接してシール材が剪断されたり、音鳴りが発生することを防止できる。
【００１０】
ここで、前記引き寄せ傾斜面は、前記案内部において他方の召合せ材側の先端から煙返し内側に向かって傾斜され、前記引き離し傾斜面は、前記先端から煙返し外側に向かって傾斜され、前記案内部の煙返し内側には、前記引き寄せ傾斜面に連続して設けられ、かつ、障子の移動方向に平行な離間防止平行部が設けられ、前記案内部の煙返し外側には、前記引き離し傾斜面に連続して設けられ、かつ、障子の移動方向に平行な近接防止平行部が設けられていることが好ましい。
【００１１】
ガイド部材の各傾斜面に連続する各平行部が設けられているので、各傾斜面によって一方の召合せ材に対して所定の間隔に移動された他方の召合せ材を、その間隔を維持したまま移動することができる。このため、各召合せ材を適切な位置を保ちながらシール材に当接させることができ、シール材の根元に召合せ材をぶつけてシール材が折れたり、剪断されることがなく、適切な力でシール材が召合せ材に当接するので、安定したシール性を確保できる。
【００１２】
ここで、前記障子の移動方向に対する前記引き寄せ傾斜面の傾斜角度は、前記障子の移動方向に対する前記引き離し傾斜面の傾斜角度よりも大きくされていることが好ましい。
【００１３】
通常、ガイド部材の引き寄せ傾斜面には他方の召合せ材の煙返しの端縁が当接し、引き離し傾斜面には召合せ材の角部が当接する。
召合せ材の角部は、通常、面取りされてＲ形状とされているので、前記引き離し傾斜面に対しては点接触となり、傾斜面を急角度にすると接触時に召合せ材を傾斜面に沿ってスムーズに案内することができない。一方、煙返しの端縁は、例えば、引き寄せ傾斜面の傾斜角度に沿った傾斜面に形成でき、各傾斜面同士を接触させることができる。このため、引き寄せ傾斜面の傾斜角度が急角度であっても煙返しを傾斜面に沿ってスムーズに案内することができる。
そして、引き寄せ傾斜面を急角度に設定することで、ガイド部材における引き寄せ傾斜面と嵌合溝との間の肉厚を大きくできる。このため、ガイド部材をコンパクトに形成でき、かつ、その剛性も向上できる。
【００１４】
ここで、前記他方の召合せ材は、障子を閉めた際に前記ガイド部材の案内部先端が当接する当接ガイド部を備えていることが好ましい。
障子を閉めた際に、一方の召合せ材に取り付けられた前記ガイド部材の案内部先端が、他方の召合せ材の当接ガイド部に当接すれば、ガイド部材が緩衝材となり、召合せ材がシール材に当接する際の衝撃力が弱まり、音鳴りも減少できる。
【００１５】
ここで、前記ガイド部材は、障子を閉めた際に他方の召合せ材の煙返しが当接する受け部を備え、この受け部は緩衝体で構成されていることが好ましい。
ガイド部材に前記煙返しが当接する受け部が形成されていれば、障子を閉めた際に、受け部が緩衝材となり、召合せ材がシール材に当接する際の衝撃力が弱まり、音鳴りも減少できる。
なお、緩衝体としては、ゴムや発泡性樹脂材等のように緩衝作用がある材質のものが利用できる。特に、受け部が発泡性樹脂材つまりスポンジ状に形成されていれば、クッション性が高まるので、衝撃力の吸収効果が高まり、音鳴りも大幅に軽減できる。
なお、ガイド部材と材質が相違する受け部は、ガイド部材と別体に形成して接着剤でガイド部材に接着して一体化してもよいし、二色成型等によって一体に成型してもよい。例えば、ガイド部材をシリコンゴムで形成し、受け部を発泡シリコンで形成し、これらを二色成型で一体的に製造すればよい。
【００１６】
本発明の建具は、窓枠と、この窓枠内に配置された少なくとも２枚の障子とを備えた建具であって、前記２枚の障子は、互いに係合する召合せ框をそれぞれ備え、いずれか一方の召合せ框に一体に形成された煙返しには前記ガイド部材が取り付けられていることを特徴とする。
すなわち、前記２枚の障子の一方は外障子、他方は内障子となり、外障子の外召合せ框または内障子の内召合せ框のいずれか一方の煙返しに前記ガイド部材が取り付けられていればよい。この際、窓枠内側に支持された室内側および室外側の一対の障子は、これら一対の障子のうちの少なくとも一方の障子が開閉可能に構成されていればよく、他方の障子は可動障子であってもよいし、固定障子であってもよい。
【００１７】
また、本発明の建具は、窓枠と、この窓枠内に配置された障子とを備えた建具であって、前記障子は召合せ框を備え、前記窓枠は障子の召合せ框に係合する召合せ枠を備え、前記召合せ框または召合せ枠の一方に一体に形成された煙返しには前記ガイド部材が取り付けられていてもよい。
【００１８】
ここで、前記建具は、窓や浴室ドア等の各種出入口等に設けられる建具などに利用できる。
すなわち、本発明の建具としては、開閉可能な障子が１枚以上設けられていればよく、その開閉可能な障子の召合せ框に係合する召合せ框を備える可動または固定の障子や、前記召合せ框に係合する召合せ枠を備える窓枠が設けられていればよい。
なお、外障子および内障子を設けた場合は、建物外壁に設けられる建具においては、２つの障子のうち、室外側を外障子、室内側を内障子とすればよい。また、浴室や室内に設けられる障子においては、例えば浴室側などの一方側を外障子、他方側を内障子とすればよい。
【００１９】
従って、建具としては、開閉可能な障子と、開閉不能な固定障子とを備える片引き窓でもよいし、開閉可能な一対の障子を備える引違い窓でもよい。さらに、３枚引違い窓のように３枚以上の障子を備える建具でもよい。３枚以上の障子を備える場合には、各召合せ框部分で外障子および内障子と設定すればよい。すなわち、中間の障子は、最も外側に配置された障子に対しては内障子とし、最も内側に配置された障子に対しては外障子とすればよい。また、障子としては、上框、下框、および左右の縦框（戸先框および召合せ框）を四周框組みした内部にガラスパネル等の面材が嵌め込まれた、一般的な障子が採用可能である。
【００２０】
以上の本発明によれば、前述のガイド部材を備えているので、障子を閉めた際に、各召合せ材同士の障子見込み方向の間隔を適正な寸法に設定できる。このため、召合せ材同士の衝突や、召合せ材がシール材の基端部などに当接してシール材が剪断されたり、音鳴りが発生することを防止できる。
【発明を実施するための最良の形態】
【００２１】
〔第１実施形態〕
本発明の第１実施形態に係る建具である浴室出入口用建具について説明する。
図１は、本実施形態の浴室出入口用建具１を脱衣室側から見た正面図である。
浴室出入口用建具１は、ユニットバス等の浴室の出入口開口部に設けられて浴室と脱衣室とを仕切るもので、枠体としての建具枠２と、この建具枠２内に支持された３枚の障子１０１，１０２，１０３とを備えた連動三連式建具である。
【００２２】
建具枠２は、上枠３、下枠４、および左右の縦枠５を四周枠組みして構成されており、上枠３、下枠４および縦枠５は、それぞれアルミ押出形材製の部材で構成されている。
なお、上枠３および下枠４には図示しない３本のレールがそれぞれ形成されており、これら各３本のレールで３枚の障子１０１〜１０３を支持するように構成されている。
【００２３】
３枚の障子１０１〜１０３は、図２にも示すように、それぞれアルミ押出形材製の上框１１、下框１２、および左右の縦框１３，１４と、これらを四周枠組みした内部にガラス製や樹脂製の面材１５を組み込んで形成されている。
３枚の障子１０１〜１０３の下框１２には、下枠４のレールに支持される戸車（図示略）が設けられ、縦框１３，１４の上端には、上枠３のレールに案内される摺動部材（図示略）が取り付けられている。
そして、３枚の障子１０１〜１０３のうち、第１の障子である浴室側の障子（戸先障子）１０１と、この障子１０１に隣接する第２の障子である障子（中障子）１０２とは、各レールに案内されて建具枠２内をスライド開閉可能に支持された可動障子とされている。また、脱衣室側の障子（第３の障子）１０３は、その縦框（戸尻框）１４が縦枠５に固定された固定障子とされている。
【００２４】
障子１０１の一方（図１、２中、左側）の縦框（戸先框）１３には、浴室側および脱衣室側の両面にハンドル１３Ａが取り付けられ、このハンドル１３Ａを引いて障子１０１の開閉操作が実施できるようになっている。
【００２５】
３枚の障子１０１〜１０３は、障子１０１の一方の縦框（戸先框）１３が縦枠５に当接するとともに、障子１０１の他方（図２中、右側）の縦框（召合せ材である召合せ框）１４と障子１０２の一方の縦框（召合せ材である召合せ框）１３とが見込み方向に重なり、障子１０２の他方の縦框（召合せ框）１４と障子１０３の一方の縦框（召合せ框）１３とが見込み方向に重なって閉じるようになっている（閉鎖状態）。そして、ハンドル１３Ａを引いて障子１０１を開方向（図中、右側）にスライドさせることで、障子１０２も連動して同一方向にスライド移動し、３枚の障子１０１〜１０３が見込み方向に略重なって開くようになっている（開放状態）。さらに、障子１０１を閉方向（図２中、左側）にスライドさせることで、障子１０２も連動して同一方向にスライド移動し、３枚の障子１０１〜１０３が閉じるようになっている。
【００２６】
本実施形態において、障子１０１，１０２同士では、障子１０１を外障子、障子１０２を内障子とする。従って、障子１０１，１０２の召合せ部分では、障子１０１の縦框１４が外召合せ框１６となり、障子１０２の縦框１３が内召合せ框１７となる。
同様に、障子１０２，１０３同士では、障子１０２を外障子、障子１０３を内障子とする。従って、障子１０２，１０３の召合せ部分では、障子１０２の縦框１４が外召合せ框（召合せ材）１６となり、障子１０３の縦框１３が内召合せ框（召合せ材）１７となる。
【００２７】
次に、各召合せ框１６，１７の構造に関し、説明する。
各召合せ框１６，１７は、同じ断面形状のアルミ押出形材で構成されている。すなわち、召合せ框１６，１７は、図３に示すように、框本体３１と、この框本体３１から突出されてガスケットを介して面材１５を保持する一対の面材保持片３２と、框本体３１から突出された煙返し３３とを備えている。
【００２８】
なお、召合せ框１６，１７の框本体３１は平面略矩形状とされ、かつ、障子１０１〜１０３を閉めた際に見込み方向に重なる他の召合せ框１７，１６側に突出した凸部３１Ａを備えている。
凸部３１Ａには、他の内召合せ框１７，１６側に突出するシール材３４が、各召合せ框１６，１７の長手方向（上下方向）に渡って連続して取り付けられている。
【００２９】
各面材保持片３２は、框本体３１から障子見付け方向に延出され、さらに互いに近づく方向に折曲され、全体として断面略Ｌ字状に形成されている。そして、面材保持片３２の折曲部３２Ａは、Ｒ形状に面取りされている。
【００３０】
煙返し３３は、框本体３１の他の内召合せ框１７、１６に対向する対向面（障子１０１〜１０３の移動方向に沿った面）３５に平行に設けられている。煙返し３３の先端には対向面３５に向かって傾斜する傾斜面３３Ａが形成されている。
煙返し３３および対向面３５には、対向して形成された一対の突条３６が形成されている。
【００３１】
シール材（エアータイト材、ＡＴ材）３４は、框本体３１に保持される保持部３４Ａと、召合せ框１６，１７に当接して弾性変形するシール部３４Ｂとを備えて形成されている。シール材３４は、前記保持部３４Ａが硬質樹脂、シール部３４Ｂが軟質樹脂とされた二色成型品である。但し、シール材３４としては、軟質樹脂（または硬質樹脂）のみから成形されたものを利用してもよい。なお、シール材３４を形成する樹脂材料としては、各種熱可塑性樹脂（ＴＰＯ）や熱可塑性エラストマー等が利用可能である。例えば、スチレンブロック共重合体（ＳＢＣ）が利用できる。
なお、シール部３４Ｂは、カセ巻き納入と障子との摩擦を低減するためにＲ形状に湾曲されている。
【００３２】
このような構成の召合せ框１６，１７の一方には、ガイド部材５０が取り付けられている。本実施形態では、図２に示すように、ガイド部材５０は、障子１０２の縦框１３（内召合せ框１７）、縦框１４（外召合せ框１６）に取り付けられている。
なお、ガイド部材５０は、各框１６，１７に沿って設けられる長尺のものでもよいが、本実施形態では、各框１６，１７の高さ寸法（長さ寸法）に比べて短くされた短寸状（ピース状）のものとされている。
なお、ガイド部材５０の取付位置は、各召合せ框１６，１７に取り付けるガイド部材５０の数に応じて設定すればよい。例えば、召合せ框１６，１７にガイド部材５０を１つだけ取り付ける場合には、框１６，１７の上下方向の中間高さに取り付ければよい。一方、２つ取り付ける場合には、例えば、召合せ框１６，１７の上半分の中間および下半分の中間にそれぞれ取り付ければよい。さらに、３つ取り付ける場合には、召合せ框１６，１７の上下方向の中間高さと、上端近傍および下端近傍にそれぞれ取り付ければよい。
【００３３】
ガイド部材５０は、硬質ポリプロピレン樹脂（ＰＰ）やシリコーンゴムなどで構成され、押出成型や射出成型などで製造される。このガイド部材５０は、固定部５１と、案内部５２とを備えている。
固定部５１は、前記煙返し３３および対向面３５間に配置され、前記一対の突条３６に係合する係合溝５１１を備えている。
案内部５２は、前記煙返し３３が嵌合する嵌合溝５３を備えるとともに、その外周面には引き寄せ傾斜面５２１と、引き離し傾斜面５２２と、離間防止平行部５２３と、近接防止平行部５２４とが形成されている。
【００３４】
案内部５２の先端５２Ａは、煙返し３３よりも、その煙返し３３の延出方向（障子１０１〜１０３の中心側方向）に突出されている。この先端５２Ａは円弧状に形成され、前記引き寄せ傾斜面５２１および引き離し傾斜面５２２は先端５２Ａに連続して形成されている。
引き寄せ傾斜面５２１は、先端５２Ａから煙返し３３の内側（煙返し３３および対向面３５の間）に向かって傾斜されている。すなわち、引き寄せ傾斜面５２１は、先端５２Ａから固定部５１に向かうにしたがって、対向面３５に近づくように傾斜されている。
【００３５】
一方、引き離し傾斜面５２２は、先端５２Ａから煙返し３３の外側に向かって傾斜されている。すなわち、引き離し傾斜面５２２は、先端５２Ａから固定部５１に向かうにしたがって、煙返し３３から離れるように傾斜されている。
ここで、障子１０１〜１０３の移動方向（障子の見付け方向）に対する引き寄せ傾斜面５２１の傾斜角度は、障子１０１〜１０３の移動方向に対する引き離し傾斜面５２２の傾斜角度よりも大きくされている。
【００３６】
離間防止平行部５２３は、引き寄せ傾斜面５２１に連続して形成され、障子１０１〜１０３の移動方向に平行な面で形成されている。この離間防止平行部５２３は、受け部５２５を介して固定部５１に連続している。受け部５２５は、引き寄せ傾斜面５２１と同様の方向に傾斜された傾斜面とされ、その傾斜角度は引き寄せ傾斜面５２１の傾斜角度よりも大きくされている。
近接防止平行部５２４は、引き離し傾斜面５２２に連続して形成され、障子１０１〜１０３の移動方向に平行な面で形成されている。
【００３７】
このような構成のガイド部材５０は、各召合せ框１６，１７の端面において、煙返し３３を案内部５２の嵌合溝５３に挿入し、突条３６を固定部５１の係合溝５１１に挿入し、そのまま召合せ框１６，１７に沿って移動して所定の位置に取り付けられる。
【００３８】
このような本実施形態において障子１０１，１０２を閉めた際の動作について図４〜６をも参照して説明する。
【００３９】
［引き寄せ動作］
まず、図４（Ａ）に示すように、障子１０１，１０２の召合せ框１６，１７の見込み方向の間隔が広い場合の動作について説明する。すなわち、各対向面３５間の寸法がＷ１とされ、適切な間隔寸法Ｗに比べて大きい場合（Ｗ１＞Ｗの場合）の動作について説明する。
このような状態で障子１０１を閉めると（図４において左側に移動すると）、図４（Ｂ）に示すように、一方の召合せ框１７に取り付けられたガイド部材５０の引き寄せ傾斜面５２１に、他方の召合せ框１６の煙返し３３が当接する。
この場合、煙返し３３の傾斜面３３Ａと、引き寄せ傾斜面５２１とは共に同じ方向の傾斜面とされているので、面接触となる。このため、さらに障子１０１を閉める方向に移動すると、煙返し３３は引き寄せ傾斜面５２１に案内され、召合せ框１６，１７は互いに引き寄せられる。
【００４０】
そして、図４（Ｃ）に示すように、煙返し３３が離間防止平行部５２３に達すると、離間防止平行部５２３は障子見付け方向に平行なので、召合せ框１６，１７は適切な間隔を維持しつつ、互いにスライド移動する。このため、各召合せ框１６，１７の面材保持片３２は、シール材３４の適切な位置（シール部３４Ｂの先端部近傍）に当接し、シール材３４に適切な圧力で当接する。
【００４１】
障子１０１を完全に閉めると、図５に示すように、煙返し３３の傾斜面３３Ａが受け部５２５に当接して各召合せ框１６，１７同士が見込み方向に重なる所定の位置に配置される。また、ガイド部材５０の引き寄せ傾斜面５２１や引き離し傾斜面５２２は、突条３６にも当接し、煙返し３３がガイド部材５０に当接する力を分散している。
従って、ガイド部材５０が取り付けられる召合せ框１６，１７の突条３６は、ガイド部材５０の固定部５１を保持するために用いられるが、ガイド部材５０の案内部５２の先端５２Ａが当接される他方の召合せ框１６，１７の突条３６は、当接ガイド部として用いられる。
【００４２】
この状態で、障子１０１の縦框１３が建具枠２の縦枠５に当接されていない場合には、そのまま障子１０１を縦枠５に当接するまで移動すれば、障子１０２も連動して移動する。これらの移動により、各障子１０１〜１０３は、建具枠２に対して所定の閉鎖位置に位置し、施錠も可能となる。
【００４３】
［引き離し動作］
次に、図６（Ａ）に示すように、障子１０１，１０２の召合せ框１６，１７の見込み方向の間隔が狭い場合の動作について説明する。すなわち、各対向面３５間の寸法がＷ２とされ、適切な間隔寸法Ｗに比べて小さい場合（Ｗ＞Ｗ２の場合）の動作について説明する。
このような状態で障子１０１を閉めると（図６において左側に移動すると）、図６（Ｂ）に示すように、一方の召合せ框１７に取り付けられたガイド部材５０の引き離し傾斜面５２２に、他方の召合せ框１６の折曲部３２Ａが当接する。
さらに障子１０１を閉める方向に移動すると、折曲部３２Ａは引き離し傾斜面５２２に案内され、召合せ框１６，１７は障子の見込み方向においては互いに離れる方向に移動する。この場合、折曲部３２ＡはＲ形状とされているので、引き離し傾斜面５２２に対して図６に示す平面上では点接触となる。しかしながら、引き離し傾斜面５２２の傾斜角度は引き寄せ傾斜面５２１に比べて小さいので、折曲部３２Ａを引き寄せ傾斜面５２１に当接させた場合に比べると、折曲部３２Ａを引き離し傾斜面５２２に当接させた本実施形態のほうが、障子をスムーズに移動できる。
【００４４】
そして、図６（Ｃ）に示すように、折曲部３２Ａが近接防止平行部５２４に達すると、近接防止平行部５２４は障子見付け方向に平行なので、召合せ框１６，１７は適切な間隔を維持しつつ、互いにスライド移動する。このため、各召合せ框１６，１７の面材保持片３２は、シール材３４の適切な位置（シール部３４Ｂの先端部近傍）に当接し、シール材３４に適切な圧力で当接する。
障子１０１を完全に閉めると、前述の引き寄せ動作の場合と同じく、図５に示すように、煙返し３３の傾斜面３３Ａが受け部５２５に当接して各召合せ框１６，１７同士が見込み方向に重なる所定の位置に配置される。以下、前述の引き寄せ動作と同じく、障子１０１を縦枠５に当接するまで移動すれば、各障子１０１〜１０３は、建具枠２に対して所定の閉鎖位置に位置し、施錠も可能となる。
【００４５】
このような本実施形態によれば、以下のような効果がある。
（１）召合せ框１６，１７の一方に、引き寄せ傾斜面５２１および引き離し傾斜面５２２を備えるガイド部材５０を取り付けたので、熱反りなどが生じて、各召合せ框１６，１７同士が近接している場合、および、離れて配置されている場合のいずれの場合も、各召合せ框１６，１７を適正な間隔に移動できる。
特に、熱反りなどの影響で召合せ框１６，１７が近接している場合には、一方の框の面材保持片３２が他方の框の煙返し３３に当接し、框１６，１７同士が干渉して音鳴りが生じたり、障子１０１〜１０３をスムーズに開閉することができない。これに対し、本実施形態では、ガイド部材５０に引き離し傾斜面５２２を設け、近接している召合せ框１６，１７を適正な間隔まで離すことができるので、框１６，１７同士が干渉することを防止でき、音鳴りも防止でき、かつ障子もスムーズに開閉できる。
【００４６】
（２）また、ガイド部材５０で各召合せ框１６，１７同士の間隔を適正に調整できるので、シール材３４と各框１６，１７との取合いも一定にできる。
特に、本実施形態のガイド部材５０は、離間防止平行部５２３や近接防止平行部５２４が設けられているので、各框１６，１７は、所定の間隔を維持しながらシール材３４に当接させることができ、障子をスムーズに開閉できるとともに、安定した水密性能を保つことができる。
すなわち、各召合せ框１６，１７が近接していると、障子を閉めた際にシール材３４の基端部近くに框１６，１７が当接し、シール材３４の剪断方向に障子が当たるため、障子の開閉操作が重くなったり、シール材３４が折れてしまい、シール材３４による安定した水密性能を保つことも困難になる。
これに対し、本実施形態によれば、シール材３４と召合せ框１６，１７の接触位置を適切に調整でき、障子１０１〜１０２の開閉もスムーズに行えるとともに、シール材３４が折れてしまうこともなく、シール材３４による安定した水密性能を保つことができる。
【００４７】
（３）ガイド部材５０の引き寄せ傾斜面５２１を引き離し傾斜面５２２よりも急角度に形成したので、引き寄せ傾斜面５２１から嵌合溝５３までの肉厚を確保でき、案内部５２の強度も確保できる。このため、案内部５２において嵌合溝５３から先端５２Ａまでの寸法を最小限に抑えることができ、ガイド部材５０を小型化することができる。
【００４８】
（４）煙返し３３の傾斜面３３Ａを傾斜させたので、引き寄せ傾斜面５２１が急角度であっても、この引き寄せ傾斜面５２１に沿って傾斜面３３Ａを当接させることで煙返し３３つまり召合せ框１６，１７をスムーズに移動できる。
また、面材保持片３２の折曲部３２ＡはＲ形状であって、引き離し傾斜面５２２に対しては点接触となるが、引き離し傾斜面５２２の傾斜角度は緩やかなので、面材保持片３２つまり召合せ框１６，１７をスムーズに移動できる。
【００４９】
（５）煙返し３３の傾斜面３３Ａは、傾斜された受け部５２５に当接するため、障子を閉めた際の煙返し３３が受け部５２５に当たりすぎることを防止でき、煙返し３３がガイド部材５０の受け部５２５に当接した際に音鳴りが発生することを防止できる。
【００５０】
（６）シール材３４のシール部３４ＢをＲ形状に形成しているので、シール材３４を確実に障子１０１〜１０３に当接して水密性を確保しつつ、障子１０１〜１０３とシール材３４との摩擦を低減できて障子をスムーズに開閉できる。
【００５１】
〔第２実施形態〕
次に、本発明の第２実施形態について説明する。
本実施形態は、図７〜８に示すように、煙返し３３に切欠部３１１を形成し、ガイド部材５０Ａを框１６，１７の端面からではなく、切欠部３１１に直接取り付けることができるように構成したものである。
ガイド部材５０Ａは、その上端部および下端部に煙返し３３が配置される溝部５０１が形成されている。各溝部５０１の底面５０２間の部分は、切欠部３１１の上下の端面３１１Ａ間に配置されている。従って、ガイド部材５０Ａは、底面５０２が端面３１１Ａに当接することで上下方向に位置決めがなされている。
さらに、ガイド部材５０Ａには、前記突条３６に係合する固定部５０３を備えている。この固定部５０３は弾性変形可能に設けられている。このため、前記切欠部３１１にガイド部材５０Ａを押し込むと、突条３６に固定部５０３の斜面が当接することで固定部５０３は弾性変形する。そして、固定部５０３の溝に突条３６が嵌合することで、ガイド部材５０Ａは煙返し３３に取り付けられる。
【００５２】
なお、本実施形態のガイド部材５０Ａも、前記ガイド部材５０と同じく、引き寄せ傾斜面５２１、引き離し傾斜面５２２、離間防止平行部５２３、近接防止平行部５２４を備えて構成されている。
【００５３】
このような本実施形態のガイド部材５０Ａは、前記実施形態と同じ作用効果を奏することができるとともに、ガイド部材５０Ａを煙返し３３に簡単に取り付けることができるので、組立作業を容易に行うことができる利点がある。
【００５４】
なお、本発明は、前記実施形態に限定されるものではなく、本発明の目的を達成できる他の構成等を含み、以下に示すような変形等も本発明に含まれる。
例えば、図９に示すように、煙返し３３が当接される受け部５２５を案内部５２や固定部５１と異なる材質で構成してもよい。特に、受け部５２５はスポンジなどの発泡性樹脂材のように、案内部５２等に比べて軟質でクッション性に優れた材料で構成することが好ましい。このような構成にすれば、障子を閉めた際に、煙返し３３が受け部５２５に当接する際の衝撃力を十分に吸収でき、音鳴りを大幅に減少できる。
なお、受け部５２５は、ガイド部材５０と別体に形成して接着剤でガイド部材５０に接着して一体化してもよいし、二色成型等によって一体に成型してもよい。例えば、ガイド部材５０をシリコンゴムで形成し、受け部５２５を発泡シリコンで形成し、これらを二色成型で一体的に製造すればよい。
【００５５】
前記実施形態では、ガイド部材５０の案内部５２が当接される当接ガイド部としての突条３６を設けていたが、この当接ガイド部は必ずしも設ける必要はない。このため、ガイド部材５０が取り付けられない召合せ框１６，１７においては、突条３６を設けなくてもよい。但し、前記実施形態によれば、召合せ框１６，１７を同一框構造にできるため、生産効率を向上できる利点がある。
【００５６】
前記実施形態では、引き寄せ傾斜面５２１の傾斜角度を引き離し傾斜面５２２の傾斜角度よりも大きくしていたが、各傾斜角度を同じものにしてもよいし、逆に引き離し傾斜面５２２の傾斜角度を引き寄せ傾斜面５２１の傾斜角度よりも大きくしてもよい。これらの傾斜角度は、ガイド部材５０の肉厚寸法や、各傾斜面５２１，５２２に当接する煙返し３３や折曲部３２Ａの形状に応じて適宜設定すればよい。
【００５７】
離間防止平行部５２３や近接防止平行部５２４は必ずしも設ける必要はないが、これらの平行部５２３，５２４が設けられていれば、各召合せ框１６，１７を見込み方向に所定間隔離れた状態のまま、見付け方向にスライド移動でき、シール材３４に対して面材保持片３２を適切な位置に配置できて、障子の移動をスムーズに行え、かつ、安定したシール性能を維持できる利点がある。
【００５８】
ガイド部材５０は、短尺のピース状のものに限らず、召合せ框１６，１７の全長に渡って配置される長尺のものでもよい。このような構成のガイド部材５０は、召合せ框１６，１７の間隔を調整するためだけではなく、各召合せ框１６，１７間のシールとしても機能するため、シール材３４と協働してシール性能を向上できる。
【００５９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することがなければ、以上述べた実施形態に対し、形状、材質、数量、その他の詳細な構成は、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００６０】
【図１】本発明の実施形態に係る浴室出入口用建具を脱衣室側から見た正面図である。
【図２】前記建具を示す横断面図である。
【図３】前記建具の召合せ框を示す横断面図である。
【図４】前記建具を閉める際の召合せ框の動作を示す横断面図である。
【図５】前記建具が閉められた際の召合せ框を示す横断面図である。
【図６】前記建具を閉める際の召合せ框の動作を示す横断面図である。
【図７】第２実施形態の召合せ框を示す図であり、（Ａ）は召合せ框の横断面図、（Ｂ）は正面図である。
【図８】第２実施形態の召合せ框を示す横断面図である。
【図９】本発明の変形例の召合せ框を示す横断面図である。
【符号の説明】
【００６１】
１…浴室出入口用建具、２…建具枠、１０１〜１０３…障子、１６…外召合せ框、１７…内召合せ框、３１…框本体、３２…面材保持片、３２Ａ…折曲部、３３…煙返し、３３Ａ…傾斜面、３４…シール材、３４Ｂ…シール部、３５…対向面、３６…突条、５０，５０Ａ…ガイド部材、５１…固定部、５２…案内部、５２Ａ…先端、５３…嵌合溝、３１１…切欠部、５０１…溝部、５０２…底面、５０３…固定部、５１１…係合溝、５２１…引き寄せ傾斜面、５２２…引き離し傾斜面、５２３…離間防止平行部、５２４…近接防止平行部、５２５…受け部。
【図１】
2007120009.tif 000003
【図２】
2007120009.tif 000004
【図３】
2007120009.tif 000005
【図４】
2007120009.tif 000006
【図５】
2007120009.tif 000007
【図６】
2007120009.tif 000008
【図７】
2007120009.tif 000009
【図８】
2007120009.tif 000010
【図９】
2007120009.tif 000011